(57)【要約】【課題】本考案は、米袋等の包装袋を宅配便により配送する際に、ローラコンベア上に載置される米袋等の下面を補強する包装袋用ダンボール製トレイを提供する。【解決手段】矩形形状で、中央の底面板１と、該底面板１に折り目２を介して上下に上側面板３及び下側面板４を形成すると共に、前記底面板１に折り目５を介して左右に左側面板６及び右側面板７を形成し、各角部８，９，１０，１１に側壁の高さのスリット１２，１３，１４，１５を形成する。そして、前記底面板１には、両面接着テープ又は剥離紙付き接着剤１６を幅長さで２列並行に接着する。【選択図】図１
0003177965.tif 000002
【実用新案登録請求の範囲】
【請求項１】
矩形形状で、中央の底面板と、該底面板に折り目を介して上下に上側面板及び下側面板を形成すると共に、前記底面板に折り目を介して左右に左側面板及び右側面板を形成し、各角部に側壁の高さのスリットを形成し、前記底面板には、両面接着テープ又は剥離紙付き接着剤を接着することを特徴とする包装袋用ダンボール製トレイ。
【請求項２】
前記矩形形状を、三等分した折り目線を印刷により目印をつけ、収納時には折り目線に沿って折り畳み、三つ重ねができることを特徴とする請求項１記載の包装袋用ダンボール製トレイ。
【請求項３】
前記底面板の折り目に沿って上側面板及び下側面板を直角に折り曲げ、引き続いて折り目に沿って左側面板及び右側面板を直角に折り曲げ、前記各角部を前記上側面板及び下側面板側に直角に折り曲げて、各角部を前記上側面板及び下側面板に接着して組立てることを特徴とする請求項１記載の包装袋用ダンボール製トレイ。
【請求項４】
前記組立てられた包装袋用ダンボール製トレイには、両面接着テープ又は剥離紙付き接着剤の剥離紙をはがして接着剤面を露出させてから、米袋等の包装袋を横向きに寝せた状態で収納させることを特徴とする請求項３記載の包装袋用ダンボール製トレイ。
【考案の詳細な説明】
【技術分野】
【０００１】
本考案は、米袋等の包装袋を宅配便により配送する際に使用する包装袋用ダンボール製トレイに関する。
【背景技術】
【０００２】
近年、宅配便による配送が盛んになってきており、農家から直接家庭へ米を販売することも行われている。また、米袋のままでは配送センター等での仕分け時に米袋が破れる恐れがあり、農家では段ボール箱に米袋を収納して配達するようにしている。
しかし、段ボール箱は既製品が高価であり、配送センター等での仕分け時にローラコンベア上に載置される際に米袋の下面を補強する段ボール製トレイであれば十分である。
従来、ダンボール製トレイは、展開図で矩形の、側壁の高さで四辺に平行に折り目を形成し、各角部の折り目に側壁の高さのスリットを形成し、四辺に平行な折り目を直角に折り曲げて、各角部を折り畳んで接着部とすることが知られている（特許文献１を参照）。
また、ダンボール製箱に両面接着テープを貼着してプラスチックシートを固定することも知られている（特許文献２を参照）。
【先行技術文献】
【特許文献】
【０００３】
【特許文献１】実開平２−２８４１４号公報（図４〜図６を参照）
【特許文献２】実用新案登録第３０８７３９６号公報（両面接着テープ５４，５５，５６，５７を参照）
【考案の概要】
【考案が解決しようとする課題】
【０００４】
本考案は、米袋等の包装袋を宅配便により配送する際に、ローラコンベア上に載置される米袋等の下面を補強する包装袋用ダンボール製トレイを提供することを目的とする。
【課題を解決するための手段】
【０００５】
本考案の包装袋用ダンボール製トレイは、矩形形状で、中央の底面板と、該底面板に折り目を介して上下に上側面板及び下側面板を形成すると共に、前記底面板に折り目を介して左右に左側面板及び右側面板を形成し、各角部に側壁の高さのスリットを形成し、前記底面板には、両面接着テープ又は剥離紙付き接着剤を接着するものである。
前記矩形形状を、三等分した折り目線を印刷により目印をつけ、収納時には折り目線に沿って折り畳み、三つ重ねができる。
【考案の効果】
【０００６】
本考案の包装袋用ダンボール製トレイは、組立てられた包装袋用ダンボール製トレイには、両面接着テープ又は剥離紙付き接着剤の剥離紙をはがして接着剤面を露出させてから、米袋等の包装袋を横向きに寝せた状態で収納させるので、米袋等の包装袋を宅配便により配送する際に、ローラコンベア上に載置される米袋等の包装袋の下面を補強することができる。
【図面の簡単な説明】
【０００７】
【図１】本考案の包装袋用ダンボール製トレイの展開図である。
【図２】本考案の包装袋用ダンボール製トレイを組立てた状態の斜視図である。
【図３】本考案の包装袋用ダンボール製トレイの使用状態の斜視図である。
【考案を実施するための形態】
【０００８】
本考案の包装袋用ダンボール製トレイの一実施例を添付図面に基づいて、以下に説明する。
本考案の包装袋用ダンボール製トレイは、段ボール製であって、図１の展開図に示すように、矩形形状で、中央の底面板１と、該底面板１に折り目２を介して上下に上側面板３及び下側面板４を形成すると共に、前記底面板１に折り目５を介して左右に左側面板６及び右側面板７を形成し、各角部８，９，１０，１１に側壁の高さのスリット１２，１３，１４，１５を形成する。
また、図１の展開図に示す矩形形状を、三等分した折り目線１７，１７を印刷により目印をつけ、収納時には折り目線１７，１７に沿って折り畳み、三つ重ねができるようにする。
そして、前記底面板１には、両面接着テープ又は剥離紙付き接着剤１６を幅長さで２列並行に接着する。
【０００９】
次に、本考案の包装袋用ダンボール製トレイの組立動作を添付図面に基づいて、以下に説明する。
図１の展開図の状態から、折り目２に沿って上側面板３及び下側面板４を直角に折り曲げ、引き続いて折り目５に沿って左側面板６及び右側面板７を直角に折り曲げる。その際、各角部８，９，１０，１１は、左側面板６及び右側面板７と一体となって折り曲げられる。
そして、前記各角部８，９，１０，１１を前記上側面板３及び下側面板４側に直角に折り曲げて、各角部８，９，１０，１１を前記上側面板３及び下側面板４に接着する。
このようにして、組立てられた包装袋用ダンボール製トレイを図２の斜視図に示す。
【００１０】
図３の斜視図に示すように、組立てられた包装袋用ダンボール製トレイには、米袋等の包装袋１８が収納されるが、その収納前には両面接着テープ又は剥離紙付き接着剤１６の剥離紙をはがして接着剤面を露出させてから、前記包装袋１８を横向きに寝せた状態で収納させる。
【００１１】
本実施例では、帯状の両面接着テープ又は剥離紙付き接着剤１６を幅長さで２列並行に接着したが、これに限らず、矩形の両面接着テープ又は剥離紙付き接着剤１６を底面板１の中央に貼着するものでも良いし、粘着テープの粘着面を外側にして輪を形成して底面板１の中央に貼着するものでも良い。
【００１２】
また、スリット１２，１３，１４，１５は、夫々を並行に設けたが、実開平２−２８４１４号公報（図４〜図６を参照）のように直角向きになるように形成しても良い。
【００１３】
そして、図１の展開図に示す状態から、折り目線１７，１７に沿って内側に１８０度折り畳み、収納時には三つ重ねでコンパクトにできるようにする。
【符号の説明】
【００１４】
１  底面板
２  折り目
３  上側面板
４  下側面板
５  折り目
６  左側面板
７  右側面板
８  角部
９  角部
１０  角部
１１  角部
１２  スリット
１３  スリット
１４  スリット
１５  スリット
１６  両面接着テープ又は剥離紙付き接着剤
１７  折り目線
１８  包装袋
【図１】
0003177965.tif 000003
【図２】
0003177965.tif 000004
【図３】
0003177965.tif 000005